(57)【要約】【課題】ＬＥＤ光源部に過剰な電力が供給される故障が発生した場合における異常過熱の継続を防止するＬＥＤ点灯装置および、これを用いた照明器具，照明システムを提供する。【解決手段】商用電源Ｅ１が供給される入力部６と、ＬＥＤ光源部８にＬＥＤ電流Ｉ２を供給する出力部７と、昇圧チョッパ回路３と、降圧チョッパ回路４と、ＬＥＤ光源部８に過剰な電力が供給される故障が降圧チョッパ回路４に発生しているか否かを検出する異常検出部５とを備え、昇圧チョッパ回路３の出力が降圧チョッパ回路４の入力となり、異常検出部５が降圧チョッパ回路４の故障を検出した場合、昇圧チョッパ回路３の出力電圧を故障発生前の４００Ｖから６００Ｖに増加させることで、ＬＥＤ光源部８に供給されるＬＥＤ電流Ｉ２を増加させる。【選択図】図１
2013069482.tif 000002
【特許請求の範囲】
【請求項１】
外部電源が供給される入力部と、
ＬＥＤ光源部に出力電力を供給する出力部と、
前記入力部と前記出力部との間の経路において、一方の出力電力が他方の入力電力となる関係で、個別に制御可能な複数の機能ブロックと、
前記ＬＥＤ光源部に過剰な電力が供給される故障が発生した機能ブロックを検出する異常検出部とを備え、
前記異常検出部が、前記故障が発生した前記機能ブロックを検出した場合、前記故障が発生していない前記機能ブロックのうち少なくとも１つが、前記故障の発生前よりも出力電力を増加させることで、前記ＬＥＤ光源部に供給される電力を増加させることを特徴とするＬＥＤ点灯装置。
【請求項２】
複数の前記機能ブロックのうち少なくとも１つは、前記ＬＥＤ光源に対して直列接続される半導体素子を備え、
前記異常検出部は、前記半導体素子の故障を検出することで、前記故障が発生した前記機能ブロックを検出することを特徴とする請求項１記載のＬＥＤ点灯装置。
【請求項３】
前記機能ブロックは、自ブロックの出力電力が入力電力となる後段の前記機能ブロックに前記故障が発生した場合、前記故障の発生前よりも出力電力を増加させることで、前記後段の機能ブロックの入力電圧を増加させることを特徴とする請求項１または２記載のＬＥＤ点灯装置。
【請求項４】
前記外部電源から前記ＬＥＤ光源部までの電力供給経路において、過電流が発生した場合に前記電力供給経路を遮断する遮断手段を備え、
前記異常検出部が、前記故障が発生した前記機能ブロックを検出し、前記ＬＥＤ光源部に供給される電力が増加した場合、前記遮断手段は、前記電力供給経路を遮断することを特徴とする請求項１乃至３のいずれか１項に記載のＬＥＤ点灯装置。
【請求項５】
前記故障が発生した前記機能ブロックを前記異常検出部が検出し、前記ＬＥＤ光源部に供給される電力が増加することによって前記ＬＥＤ光源部が短絡した場合、前記遮断手段は、前記電力供給経路を遮断することを特徴とする請求項４記載のＬＥＤ点灯装置。
【請求項６】
外部電源が供給される入力部と、ＬＥＤ光源部に出力電力を供給する出力部と、前記入力部と前記出力部との間の経路において、一方の出力電力が他方の入力電力となる関係で、個別に制御可能な複数の機能ブロックと、前記ＬＥＤ光源部に過剰な電力が供給される故障が発生した機能ブロックを検出する異常検出部とを備え、前記異常検出部が、前記故障が発生した前記機能ブロックを検出した場合、前記故障が発生していない前記機能ブロックのうち少なくとも１つが、前記故障の発生前よりも出力電力を増加させることで、前記ＬＥＤ光源部に供給される電力を増加させるＬＥＤ点灯装置と、
前記ＬＥＤ点灯装置によって点灯するＬＥＤ光源部と、
前記ＬＥＤ点灯装置を収納し、前記ＬＥＤ光源部が取り付けられる器具本体とを備えることを特徴とする照明器具。
【請求項７】
前記外部電源から前記ＬＥＤ光源部までの電力供給経路において、過電流が発生した場合に前記電力供給経路を遮断する遮断手段を備え、
前記故障が発生した前記機能ブロックを前記異常検出部が検出し、前記ＬＥＤ光源部に供給される電力が増加した場合、前記遮断手段は、前記電力供給経路を遮断することを特徴とする請求項６記載の照明器具。
【請求項８】
外部電源が供給される入力部と、ＬＥＤ光源部に出力電力を供給する出力部と、前記入力部と前記出力部との間の経路において、一方の出力電力が他方の入力電力となる関係で、個別に制御可能な複数の機能ブロックと、前記ＬＥＤ光源部に過剰な電力が供給される故障が発生した機能ブロックを検出する異常検出部とを備え、前記異常検出部が、前記故障が発生した前記機能ブロックを検出した場合、前記故障が発生していない前記機能ブロックのうち少なくとも１つが、前記故障の発生前よりも出力電力を増加させることで、前記ＬＥＤ光源部に供給される電力を増加させるＬＥＤ点灯装置と、前記ＬＥＤ点灯装置によって点灯するＬＥＤ光源部と、前記ＬＥＤ点灯装置を収納し、前記ＬＥＤ光源部が取り付けられる器具本体とを備える複数の照明器具と、
前記照明器具を制御する照明制御部と、
前記外部電源から前記ＬＥＤ光源部までの電力供給経路において、過電流が発生した場合に前記電力供給経路を遮断する遮断手段を備え、
前記故障が発生した前記機能ブロックを前記異常検出部が検出し、前記ＬＥＤ光源部に供給される電力が増加した場合、前記遮断手段は、前記電力供給経路を遮断することを特徴とする照明システム。
【発明の詳細な説明】
【技術分野】
【０００１】
本発明は、ＬＥＤ点灯装置および、これを用いた照明器具，照明システムに関するものである。
【背景技術】
【０００２】
従来、ＬＥＤ光源部に直流電圧を印加することで、ＬＥＤ光源部を点灯させるＬＥＤ点灯装置が提供されている（例えば、特許文献１参照）。
【先行技術文献】
【特許文献】
【０００３】
【特許文献１】特開２０１１−１７１２３２号公報
【発明の概要】
【発明が解決しようとする課題】
【０００４】
従来のＬＥＤ点灯装置は、ＬＥＤ光源部に過剰な電力が供給される故障が発生した場合、ＬＥＤ光源部が異常過熱する。そして、この異常過熱が継続した場合、発煙・発火を引き起こすおそれがある。
【０００５】
本発明は、上記事由に鑑みてなされたものであり、その目的は、ＬＥＤ光源部に過剰な電力が供給される故障が発生した場合における異常過熱の継続を防止するＬＥＤ点灯装置および、これを用いた照明器具，照明システムを提供することにある。
【課題を解決するための手段】
【０００６】
本発明のＬＥＤ点灯装置は、外部電源が供給される入力部と、ＬＥＤ光源部に出力電力を供給する出力部と、前記入力部と前記出力部との間の経路において、一方の出力電力が他方の入力電力となる関係で、個別に制御可能な複数の機能ブロックと、前記ＬＥＤ光源部に過剰な電力が供給される故障が発生した機能ブロックを検出する異常検出部とを備え、前記異常検出部が、前記故障が発生した前記機能ブロックを検出した場合、前記故障が発生していない前記機能ブロックのうち少なくとも１つが、前記故障の発生前よりも出力電力を増加させることで、前記ＬＥＤ光源部に供給される電力を増加させることを特徴とする。
【０００７】
このＬＥＤ点灯装置において、複数の前記機能ブロックのうち少なくとも１つは、前記ＬＥＤ光源に対して直列接続される半導体素子を備え、前記異常検出部は、前記半導体素子の故障を検出することで、前記故障が発生した前記機能ブロックを検出することが好ましい。
【０００８】
このＬＥＤ点灯装置において、前記機能ブロックは、自ブロックの出力電力が入力電力となる後段の前記機能ブロックに前記故障が発生した場合、前記故障の発生前よりも出力電力を増加させることで、前記後段の機能ブロックの入力電圧を増加させることが好ましい。
【０００９】
このＬＥＤ点灯装置において、前記外部電源から前記ＬＥＤ光源部までの電力供給経路において、過電流が発生した場合に前記電力供給経路を遮断する遮断手段を備え、前記異常検出部が、前記故障が発生した前記機能ブロックを検出し、前記ＬＥＤ光源部に供給される電力が増加した場合、前記遮断手段は、前記電力供給経路を遮断することが好ましい。
【００１０】
このＬＥＤ点灯装置において、前記故障が発生した前記機能ブロックを前記異常検出部が検出し、前記ＬＥＤ光源部に供給される電力が増加することによって前記ＬＥＤ光源部が短絡した場合、前記遮断手段は、前記電力供給経路を遮断することが好ましい。
【００１１】
本発明の照明器具は、外部電源が供給される入力部と、ＬＥＤ光源部に出力電力を供給する出力部と、前記入力部と前記出力部との間の経路において、一方の出力電力が他方の入力電力となる関係で、個別に制御可能な複数の機能ブロックと、前記ＬＥＤ光源部に過剰な電力が供給される故障が発生した機能ブロックを検出する異常検出部とを備え、前記異常検出部が、前記故障が発生した前記機能ブロックを検出した場合、前記故障が発生していない前記機能ブロックのうち少なくとも１つが、前記故障の発生前よりも出力電力を増加させることで、前記ＬＥＤ光源部に供給される電力を増加させるＬＥＤ点灯装置と、前記ＬＥＤ点灯装置によって点灯するＬＥＤ光源部と、前記ＬＥＤ点灯装置を収納し、前記ＬＥＤ光源部が取り付けられる器具本体とを備えることを特徴とする。
【００１２】
この照明器具において、前記外部電源から前記ＬＥＤ光源部までの電力供給経路において、過電流が発生した場合に前記電力供給経路を遮断する遮断手段を備え、前記故障が発生した前記機能ブロックを前記異常検出部が検出し、前記ＬＥＤ光源部に供給される電力が増加した場合、前記遮断手段は、前記電力供給経路を遮断することが好ましい。
【００１３】
本発明の照明システムは、外部電源が供給される入力部と、ＬＥＤ光源部に出力電力を供給する出力部と、前記入力部と前記出力部との間の経路において、一方の出力電力が他方の入力電力となる関係で、個別に制御可能な複数の機能ブロックと、前記ＬＥＤ光源部に過剰な電力が供給される故障が発生した機能ブロックを検出する異常検出部とを備え、前記異常検出部が、前記故障が発生した前記機能ブロックを検出した場合、前記故障が発生していない前記機能ブロックのうち少なくとも１つが、前記故障の発生前よりも出力電力を増加させることで、前記ＬＥＤ光源部に供給される電力を増加させるＬＥＤ点灯装置と、前記ＬＥＤ点灯装置によって点灯するＬＥＤ光源部と、前記ＬＥＤ点灯装置を収納し、前記ＬＥＤ光源部が取り付けられる器具本体とを備える複数の照明器具と、前記照明器具を制御する照明制御部と、前記外部電源から前記ＬＥＤ光源部までの電力供給経路において、過電流が発生した場合に前記電力供給経路を遮断する遮断手段を備え、前記故障が発生した前記機能ブロックを前記異常検出部が検出し、前記ＬＥＤ光源部に供給される電力が増加した場合、前記遮断手段は、前記電力供給経路を遮断することを特徴とする。
【発明の効果】
【００１４】
以上説明したように、本発明では、ＬＥＤ光源部に過剰な電力が供給される故障が発生した場合における異常過熱の継続を防止することができるという効果がある。
【図面の簡単な説明】
【００１５】
【図１】本発明の実施形態１のＬＥＤ点灯装置１の回路構成図である。
【図２】（ａ）スイッチング電流Ｉ１のタイミングチャートである。（ｂ）異常検出信号Ｓ１のタイミングチャートである。（ｃ）出力電圧Ｖ１のタイミングチャートである。（ｄ）ＬＥＤ電流Ｉ２のタイミングチャートである。
【図３】ＬＥＤ電流Ｉ２とＬＥＤ点灯装置１の状態との関係を示す図である。
【図４】実施形態２の照明器具の分解斜視図である。
【図５】照明システムのブロック構成図である。
【発明を実施するための形態】
【００１６】
以下、本発明の実施の形態を図面に基づいて説明する。
【００１７】
（実施形態１）
本実施形態のＬＥＤ点灯装置１の回路構成図を図１に示す。
【００１８】
本実施形態のＬＥＤ点灯装置１は、整流回路２と昇圧チョッパ回路３と降圧チョッパ回路４と異常検出部５と入力部６と出力部７とで構成されており、商用電源Ｅ１（外部電源）を入力電源として、ＬＥＤ光源部８を点灯させるものである。以下に、本実施形態のＬＥＤ点灯装置１の構成について説明する。
【００１９】
整流回路２は、ダイオードＤ１〜Ｄ４からなるダイオードブリッジで構成されており、商用電源Ｅ１から電流ヒューズＦ１および入力部６を介して入力される交流電圧を全波整流し、整流電圧を昇圧チョッパ回路３に出力する。
【００２０】
昇圧チョッパ回路３（機能ブロック）は、コンデンサＣ１，Ｃ２とインダクタＬ１とダイオードＤ５とスイッチング素子Ｑ１と昇圧チョッパ制御回路３１とで構成される。コンデンサＣ１は、整流回路２の出力端間に接続されており、インダクタＬ１とスイッチング素子Ｑ１からなる直列回路が並列接続されている。また、スイッチング素子Ｑ１と並列に、ダイオードＤ５と平滑コンデンサＣ２とからなる直列回路が接続されている。スイッチング素子Ｑ１は、ＭＯＳＦＥＴで構成されており、ドレインがインダクタＬ１およびダイオードＤ５のアノードに接続され、ソースがコンデンサＣ１，Ｃ２の低圧側に接続され、ゲートが昇圧チョッパ制御部３１に接続されている。昇圧チョッパ制御部３１は、スイッチング素子Ｑ１のスイッチング制御を行うことで、平滑コンデンサＣ２の両端間に出力電圧Ｖ１を生成する。なお、本実施形態では、昇圧チョッパ回路３に故障が発生していない場合、出力電圧Ｖ１は４００Ｖとなる。
【００２１】
降圧チョッパ回路４（機能ブロック）は、ダイオードＤ６とコンデンサＣ３とインダクタＬ２とスイッチング素子Ｑ２と抵抗Ｒ１と降圧チョッパ制御部４１とで構成される。平滑コンデンサＣ２と並列に、平滑コンデンサＣ３とインダクタＬ２とスイッチング素子Ｑ２と抵抗Ｒ１とからなる直列回路が接続され、平滑コンデンサＣ３およびインダクタＬ２と並列にダイオードＤ６が接続されている。降圧チョッパ制御部４１は、抵抗Ｒ１の両端電圧を検出することで、スイッチング素子Ｑ２に流れるスイッチング電流Ｉ１を検出し、スイッチング電流Ｉ１に基づいてスイッチング素子Ｑ２のスイッチング制御を行う。それによって、昇圧チョッパ回路３が出力する出力電圧Ｖ１を降圧した出力電圧Ｖ２を平滑コンデンサＣ３の両端間に生成する。なお、本実施形態では、降圧チョッパ制御部４１は、スイッチング素子Ｑ２のオン時に流れるスイッチング電流Ｉ１を検出し、スイッチング電流Ｉ１が４００ｍＡに達するとスイッチング素子Ｑ２をターンオフする。
【００２２】
ＬＥＤ光源部８は、出力部７を介して平滑コンデンサＣ３に並列接続されており、複数の発光ダイオード８１が直列接続されることで構成されている。そして、ＬＥＤ光源部８は、平滑コンデンサＣ３の両端間に生成された出力電圧Ｖ２によって、各発光ダイオード８１にＬＥＤ電流Ｉ２が流れることによって点灯する。なお、本実施形態では、降圧チョッパ回路４に故障が発生していない場合、ＬＥＤ電流Ｉ２は２００ｍＡとなる。
【００２３】
異常検出部５は、ＬＥＤ光源部８に過剰な電力（ＬＥＤ電流Ｉ２）が供給される故障が降圧チョッパ回路４に生じているか否かを、スイッチング電流Ｉ１を監視することで、検出している。具体的には、異常検出部５は、スイッチング素子Ｑ２が短絡故障しているか否かを検出しており、スイッチング電流Ｉ１が所定期間継続して所定値以上である場合、スイッチング素子Ｑ２が短絡故障していると判断する。すなわち、降圧チョッパ回路４が故障していると判断している。また、異常検出部５は、過剰なＬＥＤ電流Ｉ２が流れる故障であれば同様に検出することができ、例えば降圧チョッパ制御部４１のラッチアップによってＬＥＤ電流Ｉ２が上昇する場合も検出することができる。
【００２４】
そして、異常検出部５は、降圧チョッパ回路４の故障有無に応じて、昇圧チョッパ制御部３１に出力する異常検出信号Ｓ１のレベルを切り替える。異常検出部５は、降圧チョッパ回路４に故障が発生していないと判断した場合、異常検出信号Ｓ１のレベルをＬｏとし、降圧チョッパ回路４に故障が発生していると判断した場合、異常検出信号Ｓ１のレベルをＨｉに切り替える。
【００２５】
そして、昇圧チョッパ制御部３１は、異常検出信号Ｓ１のレベルがＬｏである場合、出力電圧Ｖ１が４００Ｖとなるようにスイッチング素子Ｑ１のスイッチング制御を行う。また、異常検出信号Ｓ１のレベルがＨｉである場合、出力電圧Ｖ１が４００Ｖよりも高くなるようにスイッチング素子Ｑ１のスイッチング制御を行う。
【００２６】
次に、本実施形態のＬＥＤ点灯装置１の動作を、図２（ａ）〜（ｄ）に示すタイミングチャートを用いて説明する。図２（ａ）は、スイッチング電流Ｉ１のタイミングチャートを示している。図２（ｂ）は、異常検出信号Ｓ１のタイミングチャートを示している。図２（ｃ）は、出力電圧Ｖ１のタイミングチャートを示している。図２（ｄ）は、ＬＥＤ電流Ｉ２のタイミングチャートを示している。
【００２７】
まず、昇圧チョッパ回路３および降圧チョッパ回路４に故障が発生していない場合について説明する。
【００２８】
図２（ａ）〜（ｄ）の期間Ｔａに示すように、昇圧チョッパ制御部３１は、出力電圧Ｖ１が４００Ｖとなるようにスイッチング素子Ｑ１のスイッチング制御を行う。降圧チョッパ制御部４１は、スイッチング電流Ｉ１が４００ｍＡに達するとスイッチング素子Ｑ２をターンオフするスイッチング制御を行っており、出力電圧Ｖ１を降圧した出力電圧Ｖ２を平滑コンデンサＣ３の両端に生成する。この出力電圧Ｖ２によって、ＬＥＤ電流Ｉ２が２００ｍＡとなり、ＬＥＤ光源部８が点灯する。
【００２９】
次に、降圧チョッパ回路４に故障が発生した場合について説明する。
【００３０】
時間ｔ１において、スイッチング素子Ｑ２が短絡する故障が発生したとする。それによって、降圧チョッパ回路４は出力電圧Ｖ１を降圧することができなくなり、ＬＥＤ電流Ｉ２が２００ｍＡから６００ｍＡに上昇する。すなわち、ＬＥＤ光源部８に過剰な電力（ＬＥＤ電流Ｉ２）が供給されている状態となる。なお、過剰な電力とは、一意的な数値（例えば、定格値以上など）に限定するものではなく、使用を継続するには危険な電力を示しており、使用環境などを考慮して設計者が決定する。本実施形態では、図３に示すように、ＬＥＤ光源部８の温度が異常過熱状態となる電流Ｉ２ａ（２００ｍＡ＜Ｉ２ａ＜６００ｍＡ）以上を過剰な電力としている。
【００３１】
異常検出部５は、スイッチング電流Ｉ１が所定期間継続して流れていることを検出することで、スイッチング素子Ｑ２が短絡故障していることを検出し、降圧チョッパ回路４に故障が発生していると判断する。そして、異常検出部５は、昇圧チョッパ制御部３１に出力する異常検出信号Ｓ１のレベルをＬｏからＨｉに切り替える（時間ｔ２）。昇圧チョッパ制御部３１は、異常検出信号Ｓ１のレベルがＨｉになると、出力電圧Ｖ１が６００Ｖとなるようにスイッチング素子Ｑ１のスイッチング制御を行う（時間ｔ３）。すなわち、昇圧チョッパ回路３の出力電圧Ｖ１は、故障が発生する前の４００Ｖから６００Ｖまで増加する。
【００３２】
そして、出力電圧Ｖ１が４００Ｖから６００Ｖに増加することによって、ＬＥＤ電流Ｉ２が６００ｍＡから１．０Ａに増加し、ＬＥＤ光源部８を構成する各発光ダイオード８１に短絡故障が発生する（時間ｔ４）。ＬＥＤ光源部８およびスイッチング素子Ｑ２が短絡したことによって、商用電源Ｅ１からＬＥＤ光源部８への電力供給経路に短絡電流が流れ、この短絡電流（過電流）によって電流ヒューズＦ１（遮断手段）または抵抗Ｒ１（遮断手段）が開放状態となる。それによって、電力供給経路が遮断され、ＬＥＤ光源部８への電力供給が停止する。
【００３３】
図３に示すように、ＬＥＤ電流Ｉ２が２００ｍＡ（＜Ｉ２ａ）である場合は、ＬＥＤ光源部８の温度は正常の範囲内であるが、スイッチング素子Ｑ２が短絡故障してＬＥＤ電流Ｉ２が６００ｍＡ（＞Ｉ２ａ）になった場合、ＬＥＤ光源部８が異常過熱状態となる。もし、このＬＥＤ光源部８の異常過熱状態が継続した場合、発煙・発火を引き起こすおそれがある。
【００３４】
しかし、本実施形態では、ＬＥＤ光源部８に過剰なＬＥＤ電流Ｉ２（６００ｍＡ）が流れる故障が降圧チョッパ回路４に発生した場合、より大きなＬＥＤ電流Ｉ２（１．０Ａ）が供給されるように、故障していない昇圧チョッパ回路３の出力電圧Ｖ１を増加させる。それによって、ＬＥＤ光源部８を短絡させて、電流ヒューズＦ１または抵抗Ｒ１を開放状態とすることで、電力供給経路を遮断する。ＬＥＤ光源部８への電力供給が停止することで、発熱も停止するので、発煙・発火を回避することができ、安全性を向上させることができる。
【００３５】
また、本実施形態では、故障が発生した場合、ＬＥＤ光源部８を短絡故障させて、短絡電流を発生させることで、電流ヒューズＦ１または抵抗Ｒ１を開放状態とし、電力供給経路を遮断している。しかし、故障が発生した場合、電力供給経路が遮断されればよいので、昇圧チョッパ回路３の出力電圧Ｖ１が増加して、ＬＥＤ光源部８が短絡故障する前に、電流ヒューズＦ１または抵抗Ｒ１が開放状態となってもよい。
【００３６】
また、本実施形態では、異常検出部５は、降圧チョッパ回路４のみの故障を検出しているが、昇圧チョッパ回路３の故障も検出するように構成してもよい。例えば、異常検出部５は出力電圧Ｖ１を検出し、出力電圧Ｖ１が高くなることによって、ＬＥＤ光源部８に過剰な電力（ＬＥＤ電流Ｉ２）が供給された場合、昇圧チョッパ回路３が故障していると判断する。この場合、異常検出部５は、降圧チョッパ制御部４１に対してＬＥＤ電流Ｉ２がさらに増加するようにスイッチング制御の指示を行う。それによって、電流ヒューズＦ１または抵抗Ｒ１が開放状態となり、上記同様の効果を得ることができる。
【００３７】
（実施形態２）
本実施形態の照明器具１０の分解斜視図を図４に示す。実施形態の照明器具１０は、実施形態１のＬＥＤ点灯装置１と、ＬＥＤ光源部８と、器具本体１１と、電流ヒューズＦ１（図示なし）とで構成されている。
【００３８】
器具本体１１は、一面が開口した矩形箱状に形成されており、内部にＬＥＤ点灯装置１が収納される。ＬＥＤ点灯装置１は電流ヒューズＦ１を介して、商用電源Ｅ１に接続される。
【００３９】
ＬＥＤ光源部８は、矩形板状の実装基板８２の長手方向に等間隔で発光ダイオード８１が実装されており、ＬＥＤ点灯装置１の一面側に取り付けられ、ＬＥＤ点灯装置１に電気的に接続される。そして、ＬＥＤ光源部８は、ＬＥＤ点灯装置１からＬＥＤ電流Ｉ２が供給されることで点灯する。
【００４０】
また、照明器具１０は、器具本体１１の開口を覆うように透光性のカバー１２が設けられており、カバー１２を介してＬＥＤ光源部８の光を外部に照射する。
【００４１】
本実施形態の照明器具１０は、実施形態１のＬＥＤ点灯装置１を備えており、ＬＥＤ光源部８に過剰なＬＥＤ電流Ｉ２が流れる故障が降圧チョッパ回路４に発生した場合、より大きなＬＥＤ電流Ｉ２が供給されるように制御を行う。それによって、ＬＥＤ光源部８が短絡して、短絡電流が流れることによって、電流ヒューズＦ１または抵抗Ｒ１が開放状態となるので、電力供給経路が遮断される。したがって、ＬＥＤ光源部８の発熱が停止し、発煙・発火を防止することができるので、安全性を向上させることができる。
【００４２】
また、図５に示すように、図複数の照明器具１０と、これらの照明器具１０を制御する照明制御部２１とから照明システム２０が構築される。照明制御部２１は、各照明器具１０の点灯制御を行っている。照明システム２０は、上記照明器具１０を用いており、上記同様の効果を得ることができる。
【符号の説明】
【００４３】
１    ＬＥＤ点灯装置
２    整流回路
３    昇圧チョッパ回路（機能ブロック）
４    降圧チョッパ回路（機能ブロック）
５    異常検出部
６    入力部
７    出力部
８    ＬＥＤ光源部
Ｆ１  電流ヒューズ（遮断手段）
Ｒ１  抵抗（遮断手段）
【図１】
2013069482.tif 000003
【図２】
2013069482.tif 000004
【図３】
2013069482.tif 000005
【図４】
2013069482.tif 000006
【図５】
2013069482.tif 000007